(57)【特許請求の範囲】
【請求項１】
クラブハウスに置くことの可能な基礎と、基礎の左右部分に個別に固定された左右支柱と、左右支柱に架け渡されて固定された上骨格部材と、左右支柱及び上骨格部材に設けられた仕切りと、上記基礎と左右支柱及び上骨格部材並びに仕切りによって左右に一列に並んだ格好でゴルフバッグを個別に収容するように構成された複数個の収容室と、左右支柱に個別に固定された左右側壁と、複数個の収容室における上方の空間を塞ぐ天板と、複数個の収容室の仕切りよりも上部における前側の空間を塞ぐ前カバーと、各収容室の左側又は右側の一方に位置する仕切りに固定された索条と、上記各収容室の左側又は右側の他方に位置する仕切りに固定されかつ上記索条を施錠及び開錠するための錠前とを備えたゴルフバッグラックであって、ゴルフバッグの底を収容室の基礎の上に搭載してゴルフバッグが収容室に収容された場合、当該収容室に収容されたゴルフバッグの上部が前カバーと天板と左側壁と右側壁とで覆われた状態となってゴルフバッグの内部からゴルフクラブを取り出しにくい構成になることを特徴とするゴルフバッグラック。
【発明の詳細な説明】
【技術分野】
【０００１】
本発明は、ゴルフ場のクラブハウスに設置され、ゴルファーがゴルフバッグを保管するようにしたゴルフバッグラックに関するものであって、特に、保管したゴルフバッグ及びゴルフクラブの盗難を防止することのできる構造になっている。
に関する。
【背景技術】
【０００２】
図１１を参照し、特許文献１で開示されたゴルフバッグラック２０１について説明する。ゴルフバッグラック２０１は、基礎２０２の上に複数の仕切り板２０３を固定し、仕切り板２０３の上に天板２０４を固定し、ゴルフバッグ２０５を個別に収容する収容室２０６が基礎２０２と一対の仕切り板２０３と天板２０４とで複数個構成され、収容室２０６のそれぞれに索条２０７と錠前２０８とを備えており、それぞれの索条２０７の一端が収容室２０６の右側に位置して天板２０４の上に設けられ、それぞれの錠前２０８が収容室２０６の右側に位置して天板２０４の上に設けられている。そして、ゴルファーがゴルフバッグ２０５を何れか一つの収容室２０６に収容した後、ゴルファーが当該１つの収容室２０６に対応する索条２０７をゴルフバッグ２０５の前を右側から左側に張り渡して当該索条２０７の先端のロック板２０９を上記１つの収容室２０６用の錠前２０８のロック孔２１０に差し込むことにより、ロック板２０９が錠前２０８に施錠される。このとき、図外の鍵が錠前２０８から引き抜ける態様になるので、ゴルファーは、錠前２０８から鍵を抜き取って自分で所持する。これにより、ゴルファーがゴルフバッグ２０５をゴルフバッグラック２０１に保管できる。この保管したゴルフバッグ２０５をゴルフバッグラック２０１から取り出すには、ゴルファーが所持している鍵を錠前２０８の鍵穴２１１に挿入して一方向に回転操作すると、上記錠前２０８によるロック板２０９への施錠が開錠され、ゴルファーがロック板２０９を錠前２０８から引き抜いて索条２０７を天板２０４から吊り下げられた状態にする。これにより、ゴルファーがゴルフバッグ２０５をゴルフバッグラック２０１から取り出せる。しかしながら、図１１に示したゴルフバッグラック２０１は、収容室２０６に保管したゴルフバッグ２０５のカバーを天板２０４よりも上方において開放しており、当該カバーを開いてゴルフバッグ２０５のボディの内部からゴルフクラブを取り出しやすい構造になっているので、ゴルフクラブの盗難を防止するには不向きであるという欠点がある。
【先行技術文献】
【特許文献】
【０００３】
【特許文献１】２０１０−２６１１９１号公報
【発明の概要】
【発明が解決しようとする課題】
【０００４】
本発明は、上記背景技術に鑑みてなされたものであり、保管したゴルフバッグ及びゴルフクラブの盗難を防止する構造を提供することを目的とする。
【課題を解決するための手段】
【０００５】
本発明に係るゴルフバッグラックは、クラブハウスに置くことの可能な基礎の左右部分に左支柱及び右支柱を固定し、左支柱に左側壁を固定し、右支柱に右側壁を固定し、左支柱の後部及び右支柱の後部に下骨格部材及び上骨格部材を架け渡して固定し、左支柱の上部及び右支柱の上部に前カバー及び天板を架け渡して固定したことにより、ゴルフバッグを個別に収容する収容室が基礎と左支柱と右支柱と左側壁と右側壁と上骨格部材と前カバーと天板とで囲まれかつ左右に一列に並んだ格好で複数個構成され、各収容室の右側に位置する仕切りに索条の一部を固定し、各収容室の左側に位置する仕切りに錠前を固定するか又は各収容室の左側に位置する仕切りに索条の一部を固定し、各収容室の右側に位置する仕切りに錠前を固定し、ゴルフバッグの底を収容室の基礎の上に搭載してゴルフバッグが収容室に収容された場合、収容室に保管したゴルフバッグの上部が前カバーと天板と左側壁と右側壁とで覆われた状態となってゴルフバッグの内部からゴルフクラブを取り出しにくい構成としたことを特徴とする。
【発明の効果】
【０００６】
本発明は、ゴルフバッグ収容室に収容された場合、ゴルフバッグの内部からゴルフクラ
ブを取り出しにくくなり、ゴルフクラブの盗難を防止することができる。
【図面の簡単な説明】
【０００７】
【図１】実施形態のゴルフバッグラックを示す正面側から見た斜視図。
【図２】Ａ図は実施形態のゴルフバッグをゴルフバッグラックに収容する途中の状態を示す側面図的な模式図、Ｂ図は実施形態のゴルフバッグをゴルフバッグラックに収容した状態を示す側面図的な模式図、Ｃ図は実施形態のゴルフバッグラックに収容したゴルフバッグに錠ユニットを掛けた状態を示す正面図的な模式図。
【図３】実施形態のゴルフバッグラックの部品一式を分解して示す正面側から見た斜視図。
【図４】実施形態のゴルフバッグラックの基礎と右支柱と左支柱と下骨格部材と上骨格部材と左側壁と左ナンバープレートとの取付構造を分解して示す背面下側から見上げた斜視図。
【図５】実施形態のゴルフバッグラックの前カバーと天板とを右支柱と左支柱との取付構造を分解して示す背面下側から見上げた斜視図。
【図６】実施形態の前カバーと天板との結合部分を縦に切断して示す断面図。
【図７】実施形態の錠前と仕切り部材との取付構造を分解して示す正面下側から見上げた斜視図。
【図８】実施形態の２個のゴルフバッグラックを互いに背中合わせに連結する部分の構造を示す正面下側から見上げた斜視図。
【図９】実施形態のゴルフバッグラックに表示器具を設けた態様を示す正面図。
【図１０】Ａ図は実施形態の表示器具を分解して示す正面側から見た斜視図、Ｂ図は実施形態の表示フレームを示す背面側から見た斜視図、Ｃ図は実施形態の表示フレームを示す平面図。
【図１１】従来のゴルフバッグラックを示す正面図。
【発明を実施するための形態】
【０００８】
本明細書における「前」、「後」、「左」、「右」、「上」、「下」の方向は、図１の状態にゴルフバッグラック１を置いて矢印Ｓで示す前側から見た場合に特定される方向である。
【０００９】
図１を参照し、実施形態のゴルフバッグラック１について説明する。ゴルフバッグラック１は、基礎２に左支柱３及び右支柱４を固定し、左支柱３に左側壁５を固定し、右支柱４に右側壁６を固定し、左支柱３の後部及び右支柱４の後部に下骨格７及び上骨格８を架け渡して固定し、左支柱３の上部及び右支柱４の上部に前カバー９及び天板１０を架け渡して固定したことにより、ゴルフバッグ１１を個別に収容する収容室１２が基礎２と左支柱３と右支柱４と左側壁５と右側壁６と下骨格７と上骨格８と前カバー９と天板１０とで囲まれかつ左右に一列に並んで複数個構成され、各収容室１２の右に位置する仕切り１４；１６に索条１５の一部を固定し、各収容室１２の左に位置する仕切り１３；１４に錠前１７を固定した構造になっている。尚、各収容室１２の左に位置する仕切り１３；１６には索条１５の一部を固定し、各収容室１２右に位置する１４；１６には錠前１７を固定しても適用できる。つまり、索条１５の一部が各収容室１２の左又は右の何れか一方に位置する仕切りに固定され、錠前１７が各収容室１２の左又は右の何れか他方に位置する仕切りに固定された構造であればよい。又、左側壁５には左ナンバープレート１８を前カバー９及び天板１０よりも上に突出するように固定し、右側壁６には右ナンバープレート１９を前カバー９及び天板１０よりも上に突出するように固定する。左ナンバープレート１８及び右ナンバープレート１９には、ゴルフバッグラック１を特定するための番号が表示されている。尚、前カバー９の前領域２６の仮想線Ｌ３で囲まれた領域には、貫通孔としての可視孔２７を多数個備える。
【００１０】
尚、ゴルフバッグラック１が図外のゴルフ場のクラブハウスに設置される場合、複数のゴルフバッグラック１を左右に一列に並べる際にはゴルフバッグラック１の後側をクラブハウスの壁に接触させるように複数のゴルフバッグラック１を配置し、複数のゴルフバッグラック１を互いに背中合わせとなるように並べる際には、ゴルフバッグラック１の前側をクラブハウスの壁から離すように複数のゴルフバッグラック１を配置する。
【００１１】
そして、ゴルファーがゴルフバッグ１１の底を一つの収容室１２の基礎２の上に置いてゴルフバッグ１１を収容室１２に収容した後、ゴルファーが当該１つの収容室１２に対する索条１５のロック板２０をゴルフバッグ１１のボディ２１と肩ベルト２２との間に通した後に当該１つの収容室１２に対する錠前１７のロック孔１９２（図７参照）に差し込むことにより、ロック板２０が錠前１７に施錠される。このとき、図外の鍵が錠前１７から引き抜ける態様になるので、ゴルファーは、錠前１７から鍵を抜き取って自分で所持する。これにより、ゴルファーがゴルフバッグ１１をゴルフバッグラック１に保管できる。このようにゴルフバッグ１１が保管された場合、ゴルフバッグラック１は、前カバー９と天板１０と左側壁５と右側壁６とがゴルフバッグ１１の内部からゴルフクラブ２４を取り出しにくいように収容室１２に保管されたゴルフバッグ１１の上部を被覆した構造になっているので、ゴルフクラブ２４の盗難を防止するのに好適である。
【００１２】
又、ゴルファーがゴルフバッグ１１をゴルフバッグラック１から取り出すには、ゴルファーが所持している鍵を錠前１７の鍵穴１９３（図７参照）に挿入して一方向に回転操作すると、上記錠前１７によるロック板２０の施錠が開錠され、ゴルファーがロック板２０を錠前１７から抜くと共にゴルフバッグ１１のボディ２１と肩ベルト２２との間から抜いて索条１５を仕切り１４；１６から吊り下げられた状態にする。これにより、ゴルファーが自分のゴルフバッグ１１を収容室１２から取り出すことができる。
【００１３】
図２を参照し、実施形態のゴルフバッグラック１にゴルフバッグ１１が収容される動作について説明する。Ａ図に示すように、図外のゴルファーがゴルフバッグ１１の肩ベルト２２を持ち上げて、カバー２３がボディ２１の底よりも前方に位置するようにゴルフバッグ１１を斜めにしたまま、ゴルファーがゴルフバッグ１１のカバー２３の上部を前カバー９と基礎２との間から一対の仕切り２５の間に入れつつ天板１０の方向に近づける。その場合、図１に示すように、前カバー９の前領域２６には多数の貫通孔としての可視孔２７を備えているので、つまり、前領域２６がパンチングメタルのような形態になっているので、ゴルファーがゴルフバッグラック１よりも前方から可視孔２７を通してカバー２３を可視できて、収容がやりやすくなる。上記一対の仕切り２５は、図１の仕切り１３と最も左の仕切り１４とからなる場合、２つの仕切り１４；１４からなる場合、最も左の仕切り１４と仕切り１６とからなる場合の何れかにより構成される。図２の仕切り２５は、図１の仕切り１３；１４；１６の総称である。
【００１４】
図２に戻り、その後、ゴルファーがゴルフバッグ１１をさらに持ち上げてボディ２１の底を基礎２の上に載せて後方向に滑らせることにより、Ｂ図に示すように、ゴルフバッグ１１が収容室１２に適切な姿勢に収容される。このように、ゴルフバッグ１１が収容室１２に収容された場合、カバー２３の裾２８が仕切り２５よりも上方に位置し、前カバー９と基礎２との間の間隔Ｌ１は、ゴルフバッグ１１中のサンドエッジ２９の頂点とボディ２１の底との間の寸法Ｌ２よりも小さい（Ｌ１＜Ｌ２）ように、ゴルフバッグラック１が構成されているので、カバー２３を開いてゴルフバッグ１１の内部からゴルフクラブ２４を取り出すことがやりにくく、ゴルフクラブ２４の盗難を防止することができる。Ｃ図は、索条１５がゴルフバッグ１１のボディ２１と肩ベルト２２との間を通り、ロック板２０が錠前１７に施錠された状態を示す。
【００１５】
図３を参照し、実施形態のゴルフバッグラック１のノックダウン方式に適合する部品一式について説明する。部品一式としては、基礎２、左支柱３、右支柱４、左側壁５、右側壁６、下骨格７、上骨格８、前カバー９、天板１０、左ナンバープレート１８、右ナンバープレート１９、左筋交い３１、右筋交い３２、基礎固定具３３、天板固定具３４、錠ユニット３５、移動用部品としてのキャスター３６、高さ調整用部品としてのアジャストボルト３７、錠前取付具３８、連結具３９を互いに別々のものとして分かれた構造物として備えたので、ゴルフバッグラック１を製造所又は販売所から設置所であるクラブハウスに運搬するのが容易になる。
【００１６】
基礎２は、金属により構成されれば強さの点で適用できる。しかし、基礎２を鉄により構成すると、防錆のために塗装やメッキを施す必要があり、それらの塗装やメッキがゴルフバッグ１１の出し入れで剥がれることがある。これに対し、実施形態では、基礎２はステンレスにより構成されているので、防錆のために塗装やメッキを施す必要が無く、ゴルフバッグ１１の出し入れが繰り返されても塗装やメッキの剥がれを生じることがなく見栄えの良好な状態が維持できる。又、基礎２の軽量化を目的に、基礎２をアルミニウムのような軽金属で構成してもよい。左支柱３と右支柱４と左側壁５と右側壁６と下骨格７と上骨格８と前カバー９と天板１０と左ナンバープレート１８と右ナンバープレート１９と左筋交い３１と右筋交い３２と基礎固定具３３と天板固定具３４と錠前取付具３８と連結具３９とは、金属により構成されればよいが、強さと価格との優位性から鉄により構成され、防錆のために塗装による被膜で覆われている。被膜はメッキで形成してもよいが、塗装の方が色の種類が多く、設置場所に適合しやすい被膜を形成できる。左側壁５と右側壁６と前カバー９と天板１０との内の少なくとも１つを木製として木の温もりを感じさせるようにしてもよい。又、左支柱３及び右支柱４は、互いに左右対称形である。左側壁５及び右側壁６は、互いに同じ形である。左筋交い３１及び右筋交い３２は、互いに同じ形である。尚、錠ユニット３５は、特許文献１の出願人が販売している市販品が存在するので、詳細な内部構造は特許文献１を参照願いたい。キャスター３６及びアジャストボルト３７は多数の市販品が存在するので、詳細な内部構造はインターネットで検索して参照願いたい。
【００１７】
図３では、基礎２は、左脚４１と右脚４２と前骨格４３と受台４４と中骨格４５とを備えた一体の構造物になっている。左脚４１及び右脚４２は互いに左右対称形になっている。左脚４１は、横脚４６と縦脚４７とを備える。横脚４６は、上下左右の４面で囲まれた内部を肉抜として前後に延びる角筒であるが、丸筒でもよい。横脚４６の後部は、開口になっている。縦脚４７は、横脚４６の前部の開口を塞ぐように横脚４６に接合され、横脚４６の前部から前後左右の４面で囲まれた内部を肉抜として下方に延びる角筒であるが、丸筒でもよい。縦脚４７の下部は、閉鎖されている。縦脚４７の閉鎖された下部には、雌螺子の形成された取付孔４８を設ける。取付孔４８には、キャスター３６又はアジャストボルト３７を取り付ける。右脚４２は、横脚５１と縦脚５２とを備える。横脚５１は、上下左右の４面で囲まれた内部を肉抜として前後に延びる角筒であるが、丸筒でもよい。横脚５１の後部は開口になっている。縦脚５２は、横脚５１の前部の開口を塞ぐように横脚５１に接合され、横脚５１の前部から前後左右の４面で囲まれた内部を肉抜として下方に延びる角筒であるが、丸筒でもよい。縦脚５２の下部は、閉鎖されている。縦脚５２の閉鎖された下部には、雌螺子の形成された取付孔５３を設ける。取付孔５３には、キャスター３６又はアジャストボルト３７を取り付ける。
【００１８】
前骨格４３は、上下前後の４面で囲まれた内部を肉抜として左右に延びる角筒であるが、丸筒でもよい。前骨格４３が横脚４６と縦脚４７との連接部及び横脚５１と縦脚５２との連接部に接合されたことで、前骨格４３が左脚４１と右脚４２とに掛け渡されて結合される。受台４４は、複数本用いられ、円周面で囲まれた内部を肉抜として左右に延びる丸筒であるが、角筒でもよい。受台４４が横脚４６及び横脚５１に接合されたことで、受台４４が左脚４１と右脚４２とに架け渡されて固定される。前骨格４３と受台４４とは互いに前後に平行に離れていて、前骨格４３の上面と受台４４の上面とが１つの水平面内に位置しているので、ゴルフバッグ１１の底が滑らかに前後に移動できる。受台４４の本数は６本に限定されず、２本から５本、又は、７本以上でもよいが、市販されているゴルフバッグ１１の底の平均的な直径からすると、実施形態のように６本であれば、最も本数が少なくて、前骨格４３と受台４４との隙間がゴルフバッグ１１の底を最も滑らかに前後に移動できる間隔になった。中骨格４５は、前骨格４３の左右の中央部及び受台４４の左右の中央部に位置して、前骨格４３の下部及び受台４４の下部に掛け渡されて接合した前後に延びた構造である。
【００１９】
左支柱３は、仕切り１３と後柱５５と腕５６と上連結部５７と下連結部５８と前連結部５９とを備えた一体の構造物になっている。仕切り１３は、腕５６よりも下方に位置し、後柱５５に直角に接合され、後柱５５の前面から上下左右の４面で囲まれた内部を肉抜として前方に延びる角筒であるが、丸筒でもよい。仕切り１３の角筒の縦断面及び前部の開口は、前から見ると縦長な長方形を呈する。後柱５５の下からによる仕切り１３の高さと後柱５５の下からによる上連結部５７の高さとは、同じ高さである。後柱５５は、前後左右の４面で囲まれた内部を肉抜として上下に延びる角筒であるが、丸筒でもよい。後柱５５の下部の開口は、塞がれている。後柱５５の閉鎖された下部には、雌螺子の形成された取付孔６０を設ける。取付孔６０には、キャスター３６又はアジャストボルト３７を取り付ける。腕５６は、後柱５５の上部の開口を塞ぐように後柱５５に接合され、上下左右の４面で囲まれた内部を肉抜として後柱５５から前方に延びる角筒であるが、丸筒でもよい。上連結部５７及び下連結部５８は、後柱５５から右方に延びるように後柱５５に直角に接合され、上下前の３面で囲まれ後の１面を開口した内部を肉抜とした溝を構成する。下連結部５８は、上連結部５７よりも下方に位置する。前連結部５９は、下連結部５８よりも下方に位置する。前連結部５９は、後柱５５から前方に延びるように後柱５５に直角に接合され、上下左の３面で囲まれ右の１面を開口した内部を肉抜とした溝を構成する。
【００２０】
右支柱４は、仕切り１６と後柱６２と腕６３と上連結部６４と下連結部６５と前連結部６６とを備えた一体の構造物になっている。仕切り１６は、腕６３よりも下方に位置し、後柱６２の上部の開口を塞ぐように後柱６２に直角に接合され、後柱６２の前面から上下左右の４面で囲まれた内部を肉抜として前方に延びる角筒であるが、丸筒でもよい。仕切り１６の角筒の縦断面は、縦長な長方形を呈する。仕切り１６の前部の開口は、錠前１７を取り付ける必要がないので塞がれている。後柱６２の下からによる仕切り１６の高さと後柱６２の下からによる上連結部６４の高さとは、同じ高さである。後柱６２は、前後左右の４面で囲まれた内部を肉抜として上下に延びる角筒であるが、丸筒でもよい。後柱６２の下部の開口は、塞がれている。後柱６２の閉鎖された下部には、雌螺子の形成された取付孔６７を設ける。取付孔６７には、キャスター３６又はアジャストボルト３７を取り付ける。腕６３は、後柱６２の上部の開口を塞ぐように後柱６２に接合され、上下左右の４面で囲まれた内部を肉抜として後柱６２から前方に延びる角筒であるが、丸筒でもよい。上連結部６４及び下連結部６５は、後柱６２から左方に延びるように後柱６２に直角に接合され、上下前の３面で囲まれ後の１面を開口した内部を肉抜とした溝を構成する。下連結部６５は、上連結部６４よりも下方に位置する。前連結部６６は、上連結部６４よりも下方に位置する。前連結部６６は、後柱６２から前方に延びるように後柱６２に直角に接合され、上下右の３面で囲まれ左の１面を開口した内部を肉抜とした溝を構成する。後柱６２の右部には、雌螺子の形成された取付孔６８を設ける。
【００２１】
左側壁５の後縁は、上下に延びる直線になっている。左側壁５は、上領域６９と中領域７０と下領域７１とを備える。上領域６９の前後方向の幅は、後柱５５の後から腕５６の前までの寸法と同じ寸法である。下領域７１の前後方向の幅は、後柱５５の後から仕切り１３の前までの寸法と同じ寸法である。中領域７０の前縁は、上領域６９の前縁と下領域７１の前縁とに連接された斜面を構成する。
【００２２】
右側壁６の後縁は、上下に延びる直線になっている。右側壁６は、上領域７３と中領域７４と下領域７５とを備える。上領域７３の前後方向の幅は、後柱６２の後から腕６３の前までの寸法と同じ寸法である。下領域７５の前後方向の幅は、後柱６２の後から仕切り１６の前までの寸法と同じ寸法である。中領域７４の前後方向の幅は、後柱６２の後から仕切り１６の前までの寸法と同じ寸法である。中領域７４の前縁は、上領域７３の前縁と下領域７５の前縁とに連接された斜面を構成する。右側壁６及び基礎２の右脚４２には、貫通孔７６を設ける。そして、右側壁６を右支柱４に取り付ける場合について説明すると、ボルトのような止具７７が貫通孔７６を経由して取付孔６８に締結されて、上領域７３及び中領域７４が後柱６２と腕６３との右外側を覆いかつ仕切り１６と後柱６２と腕６３とで囲まれた空間の右外側を覆い、下領域７５が仕切り１６と後柱６２と前連結部６６との右外側を覆いかつ仕切り１６と後柱６２と前連結部６６とで囲まれた空間の右外側を覆い、下領域７５の前縁が仕切り１６の前縁よりも前方に出ないように、右側壁６が右支柱４に固定される。尚、右ナンバープレート１９には、貫通孔７８を設けたので、右側壁６の上部に止具７７を装着する代わりに、ボルトのような止具７９が貫通孔７８；７６を経由して取付孔６８に締結されて右ナンバープレート１９を右支柱４に固定する。
【００２３】
下骨格７は、上下前後の４面で囲まれた内部を肉抜として左右に延びる角筒であるが、丸筒でもよい。上骨格８は、仕切り１４と骨格基部８１とを備えた一体の構造物を例示したが、収容室１２が１個の場合は仕切り１４を設けることなく上骨格８が骨格基部８１だけで構成されることもある。その場合、仕切り１３と仕切り１６とが収容室１２の左右に配置される。尚、収容室１２の個数は、１個でも、２個以上でもよい。骨格基部８１は、上下前後の４面で囲まれた内部を肉抜として左右に延びる角筒であるが、丸筒でもよい。骨格基部８１の角筒の縦断面は、左又は右から見ると縦長な長方形を呈する。仕切り１４の個数は、図１に示す収容室１２の個数により決まるものであるが、実施形態の場合、収容室１２が６個設けられた例を図示してあると共に、左支柱３と右支柱４に仕切り１３：１６を１個ずつ設けた例を図示してあるので、仕切り１４の個数は収容室１２の個数よりも１個少ない５個である。複数個の仕切り１４の左右一対の間のそれぞれには図１に示すゴルフバッグ１１を１個ずつ収容可能な間隔が設けられる。又、左支柱３と右支柱４と下骨格７とが互いに取り付けられた場合、仕切り１３と最も左側に位置する仕切り１４との間、最も右側に位置する仕切り１４と仕切り１６との間のそれぞれにも、図１に示すゴルフバッグ１１を１個ずつ収容可能な間隔が設けられる。この間隔となるように、仕切り１４は、骨格基部８１に直角に接合され、骨格基部８１の前面から上下左右の４面で囲まれた内部を肉抜として前方に延びる角筒であるが、丸筒でもよい。仕切り１４の角筒の縦断面及び前部の開口は、仕切り１３；１６と骨格基部８１と同じ大きさの縦長な長方形を呈する。
【００２４】
前カバー９は、１枚の鉄板を直角となるように２つに折り曲げて前領域２６と天領域８２とを備えた一体の構造物である。前領域２６は、左支柱３と右支柱４との間の空間の前部及び腕５６；６３の前面を塞ぐ大きさを有する。天領域８２は、左支柱３と右支柱４との間の空間の上前部及び腕５６；６３の上前部を塞ぐ大きさを有する。天板１０は、天領域８２よりも後に配置され、左支柱３と右支柱４との間の空間の上後部及び腕５６；６３の上後部を塞ぐ大きさの板状になっている。
【００２５】
左筋交い３１及び右筋交い３２は、矩形板状の両端部が互いに同じ方向に斜めに折り曲げられた構造である。基礎固定具３３は、矩形板状の両端部が互い違いの方向に直角に折り曲げられた構造である。天板固定具３４は、棒部材８３とナットのような止具８４とを別々のものとして分けた構造物として備える。棒部材８３の一端には棒部材８３よりも細い雄螺子８５を備えた一体の構造物になっている。止具８４は、雄螺子８５に適合する雌螺子の形成された貫通孔を備える。錠ユニット３５は、索条１５と錠前１７と図外の鍵とが収容室１２の個数と同数の組となって構成される。索条１５は、ワイヤロープやチェーン又はそれらを合成樹脂製のチューブで被覆した形態でもよい。キャスター３６は、車輪を回転可能に支持するアームからボルトを上方に突出した一般的な構造物である。アジャストボルト３７は、設置床面に接する側に回転する受皿を付けたボルトを有する一般的な構造物である。連結具３９は、板状部材の一半部に一対の前後方向に長い長孔８８を上下に分かれて平行となるように設け、板状部材の他半部に一対の上下方向に長い長孔８９を上下方向の１本の直線上に設けた構造物であり、例えば、左支柱３に対して上下に２個、右支柱４に対し上下に２個用いる、合計で４個あれば、最も少ない個数で２台のゴルフバッグラック１を背中合わせに強固に連結することができる。
【００２６】
図４を参照し、基礎２と左支柱３と右支柱４と左側壁５と下骨格７と上骨格８と左筋交い３１と右筋交い３２と基礎固定具３３との取付構造について説明する。
【００２７】
左支柱３と下骨格７と上骨格８との取付構造について説明すると、左支柱３の上連結部５７の下部には、雌螺子の形成された取付孔９１を設ける。骨格基部８１の左部の下部には貫通孔９２を設ける。そして、上連結部５７が骨格基部８１の左部の内部に挿入され、ボルトのような止具９３が下から貫通孔９２を経由して取付孔９１に締結されて、左支柱３と上骨格８とが互いに固定される。又、下連結部５８の下部には、雌螺子の形成された取付孔９４を設ける。下骨格７の左部の下部には貫通孔９５を設ける。そして、下連結部５８が下骨格７の左部の内部に挿入され、ボルトのような止具９６が下から貫通孔９５を経由して取付孔９４に締結されて、左支柱３と下骨格７とが互いに固定される。
【００２８】
右支柱４と下骨格７と上骨格８との取付構造について説明すると、右支柱４の上連結部６４の下部には、雌螺子の形成された取付孔９７を設ける。骨格基部８１の右部の下部には貫通孔９８を設ける。そして、上連結部６４が骨格基部８１の右部の内部に挿入され、ボルトのような止具９９が下から貫通孔９８を経由して取付孔９７に締結されて、右支柱４と上骨格８とが互いに固定される。下連結部６５の下部には、雌螺子の形成された取付孔１０１を設ける。下骨格７の右部の下部には貫通孔１０２を設ける。そして、下連結部６５が下骨格７の右部の内部に挿入され、ボルトのような止具１０３が下から貫通孔１０２を経由して取付孔１０１に締結されて、右支柱４と下骨格７とが互いに固定される。
【００２９】
基礎２と左支柱３と右支柱４との取付構造について説明すると、左支柱３の前連結部５９の下部には、雌螺子の形成された取付孔１０４を設ける。基礎２の横脚４６の下部には貫通孔１０５を設ける。そして、前連結部５９が横脚４６の後部の内部に挿入され、ボルトのような止具１０６が下から貫通孔１０５を経由して取付孔１０４に締結されて、基礎２と左支柱３とが互いに固定される。又、右支柱４の前連結部６６の下部には、雌螺子の形成された取付孔１０７を設ける。基礎２の横脚５１の下部には貫通孔１０８を設ける。そして、前連結部６６が横脚５１の後部の内部に挿入され、ボルトのような止具１０９が下から貫通孔１０８を経由して取付孔１０７に締結されて、基礎２と左支柱３とが互いに固定される。
【００３０】
左支柱３と上骨格８と左筋交い３１との取付構造について説明すると、左支柱３の後柱５５の右部と骨格基部８１の左部の下部とには、雌螺子の形成された取付孔１１１；１１２を別々に設ける。左筋交い３１の両端部には、貫通孔１１３；１１４が別々に設けられる。そして、ボルトのような止具１１５；１１６が貫通孔１１３；１１４を経由して取付孔１１１；１１２に締結されて、左筋交い３１が左支柱３と上骨格８とに固定される。又、右支柱４と上骨格８と右筋交い３２との取付構造について説明すると、後柱６２の左部と骨格基部８１の右部の下部とには、雌螺子の形成された取付孔１１７；１１８を別々に設ける。右筋交い３２の両端部には、貫通孔１１９；１２０を別々に設ける。そして、ボルトのような止具１２１；１２２が貫通孔１１９；１２０を経由して取付孔１１７；１１８に締結されて、右筋交い３２が右支柱４と上骨格８とに固定される。
【００３１】
左支柱３と左側壁５との取付構造について説明すると、後柱５５と腕５６と仕切り１６と前連結部５９との左部には、雌螺子の形成された取付孔１２４を設ける。左側壁５には、貫通孔１２５を設ける。そして、ボルトのような止具１２６が貫通孔１２５を経由して取付孔１２４に締結されて、上領域６９が後柱５５の一部と腕５６との右外側を覆い、中領域７０が仕切り１６と後柱５５と腕５６とで囲まれた空間の右外側を覆い、下領域７１が仕切り１６と後柱５５と前連結部５９との右外側を覆い、下領域７１の前縁が仕切り１６の前縁よりも前方に出ないように、左側壁５が左支柱３に固定される。このように左側壁５が左支柱３に取り付けられた場合、下領域７１の前縁が仕切り１６の前縁よりも前方に出ないようになっているので、錠前１７が仕切り１６の前部に取り付けられても、人が錠前１７に対する図外の鍵の操作およびロック板２０の挿入や抜取の操作を左側壁５で妨げられることなく適切に行える。尚、左ナンバープレート１８には、貫通孔１２７を設けたので、左側壁５の上部に止具１２６を装着する代わりに、ボルトのような止具１２８が貫通孔１２７；１２５を経由して取付孔１２４に締結されて左ナンバープレート１８を左支柱３に固定する。
【００３２】
基礎固定具３３の基礎２及び下骨格７への取付構造について説明すると、基礎２の中骨格４５と下骨格７との下部には、雌螺子の形成された取付孔１２９；１３０を別々に設ける。基礎固定具３３は矩形状である。基礎固定具３３の前部が、前方に直角に折り曲げられて前取付部１３１を構成する。基礎固定具３３の後部が、後方向に直角に折り曲げられて後取付部分１３２を構成する。前取付部１３１及び後取付部分１３２には、貫通孔１３３；１３４を別々に設ける。そして、ボルトのような止具１３５が貫通孔１３３を経由して取付孔１２９に締結され、別のボルトのような止具１３６が貫通孔１３４を経由して取付孔１３０に締結されて、基礎２と下骨格７と基礎固定具３３とが互いに固定される。これにより、図１に示すゴルフバッグ１１が基礎２の上に６個搭載された場合でも、図４に示す受台４４がゴルフバッグ１１の重量により下方撓むことがないように、下骨格７が基礎固定具３３を経由して受台４４を支持する。
【００３３】
図５を参照し、左支柱３と右支柱４と前カバー９と天板１０との取付構造について説明する。前カバー９の天領域８２の後部は、下方に直角に折り曲げられると共に前方に直角に折り曲げられてリブ１４０を構成する。リブ１４０の背壁には、貫通孔１４１を設ける。天領域８２の下面には、突片１４２；１４３を左右に接合する。突片１４２；１４３には、貫通孔１４４；１４５を設ける。又、腕５６の右部及び腕６３の左部には、雌螺子の形成された取付孔１４６；１４７を設ける。そして、リブ１４０及び突片１４２；１４３が腕５６；６３の間に挿入され、前カバー９が腕５６；６３の上面と前面とに接触させられ、ボルトのような止具１４８が貫通孔１４４を経由して取付孔１４６に締結され、ボルトのような止具１４９が貫通孔１４５を経由して取付孔１４７に締結されて、前カバー９が左支柱３右支柱４とに固定される。
【００３４】
又、天板１０の前縁部は、下方に直角に折り曲げられると共に後方向に直角に折り曲げられて前リブ１５１を構成する。前リブ１５１の前壁には、貫通孔１５２を設ける。天板１０の後部は、下方に直角に折り曲げられると共に前方に直角に折り曲げられて後リブ１５３を構成する。そして、天板固定具３４の雄螺子８５が前方から前リブ１５１の貫通孔１５２に挿入され、天板固定具３４のナットのような止具８４が前リブ１５１の後方向に突出した雄螺子８５に締結されて、天板固定具３４が前リブ１５１に固定され、天板固定具３４の棒部材８３が前リブ１５１よりも前方に突出している。更に、天板１０には、突片１５４；１５５を左右に接合する。突片１５４；１５５には、貫通孔１５６；１５７を設ける。そして、前リブ１５１と後リブ１５３と突片１５４；１５５とが腕５６；６３の間に挿入される際、図６に示すように、天板固定具３４の棒部材８３がリブ１４０の貫通孔１４１に挿入されて、前カバー９と天板１０とが上下左右への移動を阻止される。又、天板１０が腕５６；６３の上面に接触させられる。図５に戻り、腕５６の右部及び腕６３の左部には、雌螺子の形成された取付孔１５８；１５９を別々に設ける。そして、ボルトのような止具１６１；１６２が貫通孔１５６；１５７を経由して取付孔１５８；１５９に別々に締結されて、天板１０が左支柱３と右支柱４とに固定される。
【００３５】
図７を参照し、錠ユニット３５の上骨格８への取付構造について１組を例として説明する。上骨格８の仕切り１４の下部には貫通孔１６５を前後に分けて設ける。錠前取付具３８は、縦壁１６６と縦壁１６６の下部から後方に突出する横壁１６７とに筋交い１６８を架け渡して接合する。縦壁１６６が錠前１７の後部に図外のボルトのような止具で固定された場合、錠前１７の後面の周縁部分が縦壁１６６を囲むように縦壁１６６よりも外側に出ている。横壁１６７には、雌螺子の形成された取付孔１６９を設ける。そして、錠ユニット３５を上骨格８に取り付けるには、錠前取付具３８が仕切り１４に挿入されると、錠前１７の周縁部分が仕切り１４に受け止められる。その後、ボルトのような止具１７０が前側の貫通孔１６５を経由して取付孔１６９に締結され、錠前取付具３８が仕切り１４に固定されることにより、錠前１７が仕切り１４の前方の開口を塞いで仕切り１４の前部に固定される。
【００３６】
又、索条１５に連結された取付具１７１には、貫通孔１７２を設ける。そして、ボルトのような止具１７３が貫通孔１７２；１６５を経由して後側の取付孔１６９に締結されると、索条１５が仕切り１４に下方に垂れ下がるように固定される。尚、仕切り１４に錠前１７を取り付ける例を説明したが、図３に示す仕切り１３に錠前１７を取り付ける場合には、段落００３５の仕切り１４を仕切り１３と読み替えることにより適用できる。又、図３に示す仕切り１６に索条１５を取り付ける場合には、段落００３５の仕切り１４を仕切り１６と読み替えることにより適用できる。尚、この実施形態では、仕切り１３には索条１５が取り付けられず、仕切り１６には錠前１７が取り付けられない。錠前１７は、上部にシリンダー錠１９１を備え、下部にロック孔１９２を備える。シリンダー錠１９１は鍵を挿入する鍵孔１９３を備える。
【００３７】
図８を参照し、連結具３９の使い方について説明する。２個のゴルフバッグラック１を互いに背中合わせとなるように並べる場合において、手前側のゴルフバッグラック１の左部と向こう側のゴルフバッグラック１の右部とを図示し、２個の連結具３９で連結する場合を例として説明する。連結具３９の個数は２個に限定されるものではなく、１個又は３個以上であっても適用できる。手前側のゴルフバッグラック１における後柱５５の右部には、雌螺子の形成された取付孔１７５が上骨格８を境として上下に分かれて設けられる。向こう側のゴルフバッグラック１における後柱６２の左部には、雌螺子の形成された取付孔１７６が上骨格８を境として上下に分かれて設けられる。そして、１個の連結具３９を上部に使用し、もう１個の連結具３９を下部に使用する。その場合、ボルトのような止具１７７が連結具３９の長孔８８を経由して手前側のゴルフバッグラック１の取付孔１７５に締結され、別のボルトのような止具１７８が連結具３９の長孔８９を経由して向こう側のゴルフバッグラック１の取付孔１７６に締結される。これにより、２個のゴルフバッグラック１が連結具３９と止具１７７；１７８とで背中合わせになり連結される。
【００３８】
図９を参照し、実施形態のゴルフバッグラック１に表示器具１８１を設けた構造について説明する。表示器具１８１は、ゴルフ場のイベント、ゴルフに関連のある会社のイベント、周辺のお店のイベント、ゴルフ場の広告、ゴルフに関連のある会社や人の広告、周辺のお店の広告などをゴルファーに知らせるため情報を有する構造物である。表示器具１８１が前カバー９の前領域２６に収容室１２毎に対応して複数個設け、表示器具１８１を左側壁５及び又は右側壁６にも設けることも考えられる。左側壁５及び又は右側壁６に表示器具１８１を設ける場合、左側壁５及び又は右側壁６のうちの１つに１個又は複数個設けてもよい。表示器具１８１が前領域２６に収容室１２毎に対応して複数個設けられる場合、表示器具１８１が収容室１２毎に対応する可視孔２７の全てを塞ぐことがないような大きさが好ましい。表示器具１８１が可視孔２７の全てを塞がなければ、段落００１３に記載したゴルファーがゴルフバッグラック１の前方から塞がれていない可視孔２７を通して図２に示すカバー２３を可視できる効果を維持することができる。
【００３９】
図１０を参照し、表示器具１８１について説明する。Ａ図に示すように、表示器具１８１は、表示部材１８２と支持具１８３とを備える。表示部材１８２は、正面視四角形に形成された板状の表面にイベント情報や広告情報の表示された構造である。支持具１８３は、表示部材１８２を交換可能に上部から入れたり出したりすることの可能なように、左右下の３面で囲まれ上の１面を開口した構造である。支持具１８３には、溝１８４を設ける。溝１８４は、支持具１８３で囲まれた内部空間１８５の側と上方とに開口し、支持具１８３の内部に窪む形状になっている。支持具１８３の溝１８４よりも後部分には、正面視四角形に形成された板状の保護具１８６を設ける。Ｂ図に示すように、支持具１８３と保護具１８６とが両面テープ１８７で互いに接合された構造である。両面テープ１８７は、薄膜状の基材を両面から接着剤で接着できるように板状に加工し、その接着剤に剥離紙を被覆するように取り付けて細長い帯状になった一般的な市販品を使用すればよい。そして、剥離紙の剥がされた両面テープ１８７が保護具１８６と支持具１８３との境界線１８８に沿って支持具１８３と保護具１８６とに架け渡して接合される。このように接合された状態においては、図１０のＣ図に示すように、両面テープ１８７の後面が剥離紙１８９で覆われている。よって、支持具１８３を図９に示す前カバー９に取り付ける場合、人が支持具１８３の開口を上方に向けて図１０のＣ図に示す剥離紙１８９を剥がしてその剥がされた側の両面テープ１８７を図９に示す前カバー９に押し付けることにより、支持具１８３が両面テープ１８７で前カバー９に接合される。このように支持具１８３が前カバー９に取り付けられた状態において、図１０のＡ図に示す表示部材１８２の左右縁が支持具１８３の上方から溝１８４の左右部に挿入され、表示部材１８２の下縁が溝１８４の下部に入って受け止められることにより、表示部材１８２に表示されたイベント情報や広告情報が表示器具１８１の前から内部空間１８５を通して見えるようになる。
【符号の説明】
【００４０】
１はゴルフバッグラック、２は基礎、３は左支柱、４は右支柱、５は左側壁、６は右側壁、７は下骨格、８は上骨格、９は前カバー、１０は天板、１１はゴルフバッグ、１２は収容室、１３は仕切り、１４は仕切り、１５は索条、１６は仕切り、１７は錠前、１８は左ナンバープレート、１９は右ナンバープレート、２０はロック板、２１はボディ、２２は肩ベルト、２３はカバー、２４はゴルフクラブ、２５は仕切り、２６は前領域、２７は可視孔、２８は裾、２９はサンドエッジ、３０は欠番、３１は左筋交い、３２は右筋交い、３３は基礎固定具、３４は天板固定具、３５は錠ユニット、３６はキャスター、３７はアジャストボルト、３８は錠前取付具、３９は連結具、４０は欠番、４１は左脚、４２は右脚、４３は前骨格、４４は受台、４５は中骨格、４６は横脚、４７は縦脚、４８は取付孔、４９；５０は欠番、５１は横脚、５２は縦脚、５３は取付孔、５４は欠番、５５は後柱、５６は腕、５７は上連結部、５８は下連結部、５９は前連結部、６０は取付孔、６１は欠番、６２は後柱、６３は腕、６４は上連結部、６５は下連結部、６６は前連結部、６７は取付孔、６８は取付孔、６９は上領域、７０は中領域、７１は下領域、７２は欠番、７３は上領域、７４は中領域、７５は下領域、７６は貫通孔、７７は止具、７８は貫通孔、７９は止具、８０は欠番、８１は骨格基部、８２は天領域、８３は棒部材、８４は止具、８５は雄螺子、８６；８７は欠番、８８は長孔、８９は長孔、９０は欠番、９１は取付孔、９２は貫通孔、９３は止具、９４は取付孔、９５は貫通孔、９６は止具、９７は取付孔、９８は貫通孔、９９は止具、１００は欠番、１０１は取付孔、１０２は貫通孔、１０３は止具、１０４は取付孔、１０５は貫通孔、１０６は止具、１０７は取付孔、１０８は貫通孔、１０９は止具、１１０は欠番、１１１は取付孔、１１２は取付孔、１１３は貫通孔、１１４は貫通孔、１１５は止具、１１６は止具、１１７は取付孔、１１８は取付孔、１１９は貫通孔、１２０は貫通孔、１２１は止具、１２２は止具、１２３は欠番、１２４は取付孔、１２５は貫通孔、１２６は止具、１２７は貫通孔、１２８は止具、１２９は取付孔、１３０は取付孔、１３１は前取付部、１３２は後取付部分、１３３は貫通孔、１３４は貫通孔、１３５は止具、１３６は止具、１３７；１３８；１３９は欠番、１４０はリブ、１４１は貫通孔、１４２は突片、１４３は突片、１４４は貫通孔、１４５は貫通孔、１４６は取付孔、１４７は取付孔、１４８は止具、１４９は止具、１５０は欠番、１５１は前リブ、１５２は貫通孔、１５３は後リブ、１５４は突片、１５５は突片、１５６は貫通孔、１５７は貫通孔、１５８は取付孔、１５９は取付孔、１６０は欠番、１６１は止具、１６２は止具、１６３；１６４は欠番、１６５は貫通孔、１６６は縦壁、１６７は横壁、１６８は筋交い、１６９は取付孔、１７０は止具、１７１は取付具、１７２は貫通孔、１７３は止具、１７４は欠番、１７５は取付孔、１７６は取付孔、１７７は止具、１７８は止具、１７９；１８０は欠番、１８１は表示器具、１８２は表示部材、１８３は支持具、１８４は溝、１８５は内部空間、１８６は保護具、１８７は両面テープ、１８８は境界線、１８９は剥離紙、１９０は欠番、１９１はシリンダー錠、１９２はロック孔、１９３は鍵孔、１９４；２００は欠番、２０１はゴルフバッグラック、２０２は基礎、２０３は仕切り板、２０４は天板、２０５はゴルフバッグ、２０６は収容室、２０７は索条、２０８は錠前、２０９はロック板、２１０はロック孔、２１１は鍵穴。
【図１】
0005599372.tif 000002
【図２】
0005599372.tif 000003
【図３】
0005599372.tif 000004
【図４】
0005599372.tif 000005
【図５】
0005599372.tif 000006
【図６】
0005599372.tif 000007
【図７】
0005599372.tif 000008
【図８】
0005599372.tif 000009
【図９】
0005599372.tif 000010
【図１０】
0005599372.tif 000011
【図１１】
0005599372.tif 000012